(57)【要約】【課題】設置幅に左右されることなく、迅速かつ容易に設置することができる幅木装置を提供すること。【解決手段】対向配置された一対の支持部材１１０と、一対の支持部材１１０の間に設けられ当該一対の支持部材１１０の対向方向に沿って配列され、配列方向における両端部において一対の支持部材１１０に連結された複数のガイド部材１３０と、配列方向に沿って、複数のガイド部材１３０における各ガイド部材１３０どうしの間隔を調整可能に、当該複数のガイド部材１３０を連結するリンク部材１４０と、一対の支持部材１１０に取り付けられて、取付対象物に対して取り外し可能に取り付けられる取付部材１２０と、を備えた幅木装置１００を構成した。【選択図】図９
2019203275.tif 000002
【特許請求の範囲】
【請求項１】
対向配置された一対の支持部材と、
前記一対の支持部材の間に設けられ当該一対の支持部材の対向方向に沿って配列され、配列方向における両端部において前記一対の支持部材に連結された複数のガイド部材と、
前記配列方向に沿って、前記複数のガイド部材における各ガイド部材どうしの間隔を調整可能に、当該複数のガイド部材を連結するリンク部材と、
前記一対の支持部材に取り付けられて、取付対象物に対して取り外し可能に取り付けられる取付部材と、
を備えたことを特徴とする幅木装置。
【請求項２】
前記取付部材は、前記一対の支持部材に取り付けられて開放可能な環状部材と、当該環状部材が環を形成した状態で固定する固定部材と、を備えたことを特徴とする請求項１に記載の幅木装置。
【請求項３】
前記固定部材は、前記環状部材を外側から内側に貫通するように螺合された蝶ネジであることを特徴とする請求項２に記載の幅木装置。
【請求項４】
前記リンク部材は、さらに、前記配列方向における両端に位置するガイド部材と当該ガイド部材に対向する支持部材との間にそれぞれ設けられていることを特徴とする請求項１〜３のいずれか一つに記載の幅木装置。
【請求項５】
前記複数のガイド部材を覆い、当該複数のガイド部材における各ガイド部材どうしの間隔に応じて伸縮可能なカバー部材を備えたことを特徴とする請求項１〜４のいずれか一つに記載の幅木装置。
【発明の詳細な説明】
【技術分野】
【０００１】
この発明は、作業者の安全を確保するための幅木装置に関する。
【背景技術】
【０００２】
従来、高層ビル建築などのように、高所作業をともなう建築工事現場においては、物品の落下防止や作業者の安全性の確保などの観点から、足場板の側縁部などに幅木を設けるようにしている。
【０００３】
具体的には、従来、たとえば、内部に水平隔壁を有する中空板状の第１幅木部材、隣り合う第１幅木部材の各中空部内に跨って嵌め込まれる角筒状の第２幅木部材と、を相互に摺動自在に構成した伸縮自在な仮設用幅木に関する技術があった（たとえば、下記特許文献１を参照。）。
【０００４】
また、具体的には、従来、たとえば、工事用昇降機の昇降ステージの搬出入ゲートを開閉する可動フェンスの門柱の下部に取り付けられた巻取部が、繰り出し／巻き取り自在に保持する巾木（幅木）シートおよび拘束ワイヤの先端を、フェンス本体の可動端の引き手柱に繋着し、フェンス本体と昇降ステージとの間の隙間を塞ぐように張設された巾木シートにのみ繰り出し方向の引っ張り力が作用した場合に巾木シート巻取ドラムの回転を拘束するロック機構を備えた可動巾木装置に関する技術があった（たとえば、下記特許文献２を参照。）。
【先行技術文献】
【特許文献】
【０００５】
【特許文献１】特開平８−３２６２９６号公報
【特許文献２】特開平１１−１９０１３２号公報
【発明の概要】
【発明が解決しようとする課題】
【０００６】
しかしながら、上述した特許文献１や特許文献２に記載された従来の技術は、幅木の設置現場における組み立て作業が必要であって煩わしく、当該現場において迅速かつ容易に設置することが難しいという問題があった。このため、たとえば、送配電を担う電気設備における事故対応現場などのように、迅速な対応が求められる緊急性の高い現場において適用することが難しいという問題があった。
【０００７】
また、上述した特許文献１に記載された従来の技術は、幅木を設置する設置幅にあわせて複数の幅木を用意しなければならず、事前に発生が予測できない電気設備における事故対応現場などのように事前に設置幅が想定できない現場において適用することが難しいという問題があった。
【０００８】
また、上述した特許文献２に記載された従来の技術は、工事用昇降機の昇降ステージの搬出入ゲートに常設される幅木を想定しており、構造が複雑であるため重量が大きくなると設置や運搬に複数の作業者や作業時間を要するため、緊急性が求められる現場において適用することが難しいという問題があった。
【０００９】
この発明は、上述した従来技術による問題点を解消するため、設置幅に左右されることなく、迅速かつ容易に設置することができる幅木装置を提供することを目的とする。
【課題を解決するための手段】
【００１０】
上述した課題を解決し、目的を達成するため、この発明にかかる幅木装置は、対向配置された一対の支持部材と、前記一対の支持部材の間に設けられ当該一対の支持部材の対向方向に沿って配列され、配列方向における両端部において前記一対の支持部材に連結された複数のガイド部材と、前記配列方向に沿って、前記複数のガイド部材における各ガイド部材どうしの間隔を調整可能に、当該複数のガイド部材を連結するリンク部材と、前記一対の支持部材に取り付けられて、取付対象物に対して取り外し可能に取り付けられる取付部材と、を備えたことを特徴とする。
【００１１】
また、この発明にかかる幅木装置は、上記の発明において、前記取付部材が、前記一対の支持部材に取り付けられて開放可能な環状部材と、当該環状部材が環を形成した状態で固定する固定部材と、を備えたことを特徴とする。
【００１２】
また、この発明にかかる幅木装置は、上記の発明において、前記固定部材が、前記環状部材を外側から内側に貫通するように螺合された蝶ネジであることを特徴とする。
【００１３】
また、この発明にかかる幅木装置は、上記の発明において、前記リンク部材が、さらに、前記配列方向における両端に位置するガイド部材と当該ガイド部材に対向する支持部材との間にそれぞれ設けられていることを特徴とする。
【００１４】
また、この発明にかかる幅木装置は、上記の発明において、前記複数のガイド部材を覆い、当該複数のガイド部材における各ガイド部材どうしの間隔に応じて伸縮可能なカバー部材を備えたことを特徴とする。
【発明の効果】
【００１５】
この発明にかかる幅木装置によれば、設置幅に左右されることなく、迅速かつ容易に設置することができるという効果を奏する。
【図面の簡単な説明】
【００１６】
【図１】この発明にかかる実施の形態の幅木装置の構成を示す説明図である。
【図２】取付部材の構成を示す説明図である。
【図３】リンク部材の構成を示す説明図である。
【図４】カバー部材を備えた幅木装置の一例を示す説明図である。
【図５】この発明にかかる実施の形態の幅木装置の設置手順を示す説明図（その１）である。
【図６】この発明にかかる実施の形態の幅木装置の設置手順を示す説明図（その２）である。
【図７】この発明にかかる実施の形態の幅木装置の設置手順を示す説明図（その３）である。
【図８】この発明にかかる実施の形態の幅木装置の設置手順を示す説明図（その４）である。
【図９】この発明にかかる実施の形態の幅木装置の設置手順を示す説明図（その５）である。
【図１０】取付部材の別の一例を示す説明図である。
【発明を実施するための形態】
【００１７】
以下に添付図面を参照して、この発明にかかる幅木装置の好適な実施の形態を詳細に説明する。
【００１８】
（幅木装置の構成）
まず、この発明にかかる実施の形態の幅木装置の構成について説明する。図１は、この発明にかかる実施の形態の幅木装置の構成を示す説明図である。図１において、この発明にかかる実施の形態の幅木装置１００は、一対の支持部材１１０と、取付部材１２０と、複数のガイド部材１３０と、リンク部材１４０と、を備えている。
【００１９】
一対の支持部材１１０は、それぞれ、角柱形状をなし、対向配置されている。一対の支持部材１１０は、角パイプなどのように内側が空洞の管状部材によって実現することが好ましい。これにより、幅木装置１００の軽量化を図ることができる。
【００２０】
一対の支持部材１１０には、それぞれ、取付部材１２０が設けられている（図２を参照）。取付部材１２０は、一対の支持部材１１０のそれぞれに、複数（たとえば２つずつ）設けられている。取付部材１２０は、各支持部材１１０における、対向する支持部材１１０との対向面とは反対側に設けられている。
【００２１】
複数のガイド部材１３０は、一対の支持部材１１０の間に設けられている。ガイド部材１３０は、それぞれ、一対の縦枠と上枠と下枠とによって形成される矩形の枠形状をなしている。各ガイド部材１３０における一対の縦枠、上枠および下枠は、角パイプや丸パイプなどの管状部材によって実現することが好ましい。これにより、幅木装置１００の軽量化を図ることができる。
【００２２】
ガイド部材１３０は、一対の支持部材１１０の間において、一対の支持部材１１０の対向方向に沿って配置されている。ガイド部材１３０は、一対の支持部材１１０の間において、隣り合うガイド部材１３０と、各辺どうしを重ね合わせるようにして、同じ向きに並べて配置されている。各ガイド部材１３０は、複数のリンク（節）をジョイント（関節）によって連結することによって構成されたリンク部材１４０によって連結されている（図３を参照）。
【００２３】
（取付部材１２０の構成）
つぎに、取付部材１２０の構成について説明する。図２は、取付部材１２０の構成を示す説明図である。図２に示すように、取付部材１２０は、それぞれ、略半円筒形状をなす一対のホルダー２０１を備えている。ホルダー２０１は、たとえば、金属製の板状部材を略半円筒形状に湾曲させることによって形成することができる。
【００２４】
ホルダー２０１は、互いに、ホルダー２０１がなす半円筒形状の直径方向における端部のうちの一方の端部において、蝶番２０２などを用いて回動可能に連結されている。ホルダー２０１がなす半円筒形状の直径方向における他方の端部は、重ね合わされている。一対のホルダー２０１は、この発明にかかる、開放可能な環状部材を実現する。
【００２５】
ホルダー２０１において、重ね合わされた端部には、貫通孔（図示を省略する）が形成されている。貫通孔は、ホルダー２０１の端部を重ね合わせた状態において互いに重なる位置に設けられている。貫通孔は、内周面にネジ山が設けられており、この発明にかかる固定部材を実現する蝶ネジ２０３が螺合される。取付部材１２０は、一対のホルダー２０１の端部を重ね合わせ、貫通孔どうしを重ね合わせた状態で蝶ネジ２０３を螺合することにより、環（管）形状を形成した状態で固定される。
【００２６】
（リンク部材１４０の構成）
つぎに、リンク部材１４０の構成について説明する。図３は、リンク部材１４０の構成を示す説明図である。図３においては、幅木装置１００の一部を示している。図３に示すように、リンク部材１４０は、複数のリンク（節）３０１をジョイント（関節）３０２によって連結することによって構成されており、関節の動作によってリンク３０１どうしの位置関係を調整することにより、各ガイド部材１３０どうしの間隔を調整することができる。リンク部材１４０は、ガイド部材１３０の配列方向に沿って、当該ガイド部材１３０どうしの間隔を調整する。
【００２７】
具体的に、リンク部材１４０は、たとえば、角パイプなどによって実現されるリンク３０１どうしを、回転軸によって実現されるジョイント３０２を介して回転可能に軸支することによって構成することができる。このようなリンク部材１４０によってガイド部材１３０どうしを連結することにより、ガイド部材１３０どうしの間隔を一対の支持部材１１０の対向方向に沿って安定して調整することができる。
【００２８】
リンク３０１を角パイプによって実現することにより、ガイド部材１３０の配列方向が一対の支持部材１１０の対向方向に対して蛇行することを確実に防止できる。これにより、作業者が幅木装置１００に接触した場合に、ガイド部材１３０の配列方向が蛇行して、ガイド部材１３０による遮蔽物と足場との間に隙間ができることを防止し、作業者の安全を確保することができる。また、リンク３０１を中空の角パイプによって実現することにより、幅木装置１００の軽量化を図ることができる。
【００２９】
リンク部材１４０は、隣り合うガイド部材１３０どうしのみを連結するものではなく、隣り合うガイド部材１３０のさらに隣のガイド部材１３０どうしを連結するものであってもよい。リンク部材１４０におけるリンク３０１を、複数（３つ以上）のガイド部材１３０に連結することにより、ガイド部材１３０どうしの間隔を一対の支持部材１１０の対向方向に沿って安定して調整することができる。すなわち、ガイド部材１３０どうしの間隔を調整する際に、ガイド部材１３０の配列方向が一対の支持部材１１０の対向方向に対して蛇行することをより確実に防止できる。
【００３０】
また、リンク部材１４０は、複数のガイド部材１３０のうち、配列方向における両端部に配置されたガイド部材１３０と当該ガイド部材１３０に対向する支持部材１１０とを連結する。角パイプによって実現されるリンク３０１をジョイント３０２で連結したリンク部材１４０によってガイド部材１３０と支持部材１１０とを連結することにより、重量増加を抑えて幅木装置１００の伸張時の寸法を長くするとともに、作業者が幅木装置１００に接触した場合に、ガイド部材１３０の配列方向が蛇行して、ガイド部材１３０による遮蔽物と足場との間に隙間ができることを防止し、作業者の安全を確保することができる。
【００３１】
幅木装置１００は、ガイド部材１３０どうしの間隔をなくした状態、すなわち、幅木装置１００の幅を最小にした状態において、ガイド部材１３０の位置を固定する締結部材を備えていてもよい。具体的に、締結部材は、たとえば、ガイド部材１３０に巻き付けることができる長さのベルト状の部材によって実現することができる。
【００３２】
締結部材は、ガイド部材１３０に巻き付けた状態で固定することができるように、面ファスナーなどを備えていてもよい。これにより、たとえば、幅木装置１００の運搬中にガイド部材１３０どうしの間隔が広がってしまうことを防止し、取り扱いを容易にすることができる。
【００３３】
幅木装置１００は、複数のガイド部材１３０を覆うカバー部材を備えていてもよい。図４は、カバー部材４０１を備えた幅木装置１００の一例を示す説明図である。図４に示すように、カバー部材４０１は、たとえば、伸縮性を備えたゴムシートを用いて形成することができる。あるいは、カバー部材４０１は、たとえば、ナイロン繊維などをメリヤス編みやゴム編みなどと称される、シート状部材に伸縮性を持たせる方法によって編み込んだシート状部材を用いて形成してもよい。
【００３４】
このように、伸縮性を備えたカバー部材４０１によって複数のガイド部材１３０を覆うことにより、一対の支持部材１１０の間において隙間なく連続した面状の遮蔽物を設けることができる。このように、ガイド部材１３０どうしの隙間をなくすことによって、作業者の一層の安全を確保することができる。
【００３５】
また、カバー部材４０１が収縮する力によって、ガイド部材１３０の配列方向が蛇行して、ガイド部材１３０による遮蔽物と足場との間に隙間ができることを確実に防止することができ、作業者の安全を確保することができる。カバー部材４０１は、アコーディオンのように、蛇腹形状であってもよい。
【００３６】
（幅木装置１００の設置手順）
つぎに、この発明にかかる実施の形態の幅木装置１００の設置手順について説明する。図５〜図９は、この発明にかかる実施の形態の幅木装置１００の設置手順を示す説明図である。図５〜図９においては、カバー部材４０１を備えた幅木装置１００の設置手順について説明する。
【００３７】
幅木装置１００の設置に際しては、作業者Ｓは、まず、図５に示すように、幅木装置１００を取付対象における設置位置の近くまで運搬する。幅木装置１００の取付対象は、たとえば、複数本の建地５０１、腕木５０２、筋交い５０３を、直交型クランプや自在型クランプなどの緊結金具５０４や継手金具（単管ジョイント）５０５などを介して連結した単管足場５００によって実現される。
【００３８】
このような単管足場５００においては、腕木５０２にわたされた足場板５０６の上を作業者Ｓの足場として使用する。幅木装置１００は、腕木５０２にわたされた足場板５０６などの足場での作業に際して、物品の落下防止や作業者Ｓの安全性の確保を目的として設置される。
【００３９】
つぎに、作業者Ｓは、収縮させた状態の幅木装置１００を、図６に示すように、設置位置（足場板５０６の上）まで持ち上げる。幅木装置１００は、収縮させて小型化した状態で取り扱うことが好ましい。収縮させた状態で取り扱う場合は、たとえば、ベルト状の部材をガイド部材１３０に巻き付けることによって、収縮させた状態を維持することができる。
【００４０】
そして、作業者Ｓは、図７に示すように、一対の支持部材１１０のうちの一方の支持部材１１０に設けられた取付部材１２０を、建地５０１に取り付ける。建地５０１は規格に基づいて形成されているため、ホルダー２０１の形状を、想定される建地５０１の外径のうち最大の外径の建地５０１にあわせておくことで、容易かつ迅速に取付部材１２０を建地５０１に取り付けることができる。
【００４１】
作業者Ｓは、図８に示すように、固定部材である蝶ネジ２０３を締め付けることによって建地５０１に取付部材１２０を取り付けることができる。蝶ネジ２０３を用いることにより、作業者Ｓは、工具を用いることなく、防護手袋を着用したまま、取付部材１２０を建地５０１に取り付けて固定することができる。その後、一対の支持部材１１０のうち、建地５０１に固定していない他方の支持部材１１０を一方の支持部材１１０から離間する方向に引っ張る。
【００４２】
これにより、ガイド部材１３０どうしの間隔が広がって、図９に示すように、対向する建地５０１の間に、ガイド部材１３０とリンク部材１４０とによって構成される遮蔽物を、足場板５０６の縁の長さの全体にわたって配置することができる。そして、一方の支持部材１１０に設けられた取付部材１２０と同様に、他方の支持部材１１０に設けられた取付部材１２０を該当する建地５０１に取り付けて固定する。これにより、設置幅の全域にわたって連続する遮蔽物（ガイド部材１３０およびリンク部材１４０）を設置することができる。
【００４３】
幅木装置１００を撤去する際は、上記の設置手順とは逆の作業をおこなう。具体的には、支持部材１１０に設けられた取付部材１２０を建地５０１から取り外し、ガイド部材１３０どうしの間隔を縮め収縮させた状態の幅木装置１００を足場板５０６から地上に下ろす。このときも、幅木装置１００を収縮させて小型化した状態で取り扱うことにより、撤去作業の一層の容易化を図ることができる。
【００４４】
なお、幅木装置１００において、ホルダー２０１は、可撓性のある材料を用いて形成されていてもよい。具体的には、たとえば、金属製の板状部材の板厚を調整することにより、ホルダー２０１に若干の可撓性を持たせることができる。あるいは、硬質ゴムを用いてホルダー２０１を形成してもよい。
【００４５】
図１０は、取付部材１２０の別の一例を示す説明図である。ホルダー２０１に可撓性を持たせることにより、取付部材１２０の取付対象の太さに応じてホルダー２０１を変形させ、取付部材１２０を取付対象に対してがたつきなく取り付けることができる。この場合、図１０に示すように、ホルダー２０１において、重ね合わされた端部のうち、内側に位置する部分の貫通孔を、外周方向を長手方向とする長孔１００１とすることが好ましい。
【００４６】
以上説明したように、この実施の形態の幅木装置１００は、対向配置された一対の支持部材１１０と、一対の支持部材１１０の間に設けられ当該一対の支持部材１１０の対向方向に沿って配列され、配列方向における両端部において一対の支持部材１１０に連結された複数のガイド部材１３０と、配列方向に沿って、複数のガイド部材１３０における各ガイド部材１３０どうしの間隔を調整可能に、当該複数のガイド部材１３０を連結するリンク部材１４０と、一対の支持部材１１０に取り付けられて、取付対象物に対して取り外し可能に取り付けられる取付部材１２０と、を備えたことを特徴としている。
【００４７】
この発明にかかる実施の形態の幅木装置１００によれば、互いに連結されたガイド部材１３０およびリンク部材１４０が一対の支持部材１１０と一体化されているため、取付対象物どうしの間隔である設置幅に応じて、リンク部材１４０によって複数のガイド部材１３０どうしの間隔、すなわち、一対の支持部材１１０の間隔を調整し、取付部材１２０を取付対象物に取り付けるだけの作業で、設置幅の全域にわたって連続する遮蔽物を、設置幅に左右されることなく、容易かつ迅速に設置することができる。これにより、作業者Ｓの安全を確保するための作業にかかる作業時間の短縮を図ることができる。
【００４８】
また、互いに連結されたガイド部材１３０およびリンク部材１４０が一対の支持部材１１０と一体化されているため、現場における組み立て作業を要することなく、一対の支持部材１１０の間隔を調整し、取付部材１２０を取付対象物に取り付けるだけの作業で、設置幅の全域にわたって連続する遮蔽物を、設置幅に左右されることなく、容易かつ迅速に設置することができる。これにより、作業者Ｓの安全を確保するための作業にかかる作業時間の短縮を図ることができる。
【００４９】
また、取付対象物に対して取り付けることを想定した取付部材１２０を備えているため、電気設備における事故対応現場などのように、緊急性が求められる現場において、幅木装置１００を容易かつ迅速に取り付けて固定することができる。これにより、作業者Ｓの安全を確保するための作業にかかる作業時間の短縮を図ることができる。
【００５０】
また、互いに連結されたガイド部材１３０およびリンク部材１４０が一対の支持部材１１０と一体化されているため、設置時や運搬時などにおける取り扱いの容易化を図ることができる。さらに、不使用時には収縮させて小型化することができるため、これによっても取り扱いの容易化を図ることができる。
【００５１】
このように、この発明にかかる実施の形態の幅木装置１００によれば、設置幅の全域にわたって連続する遮蔽物を、設置幅に左右されることなく、容易かつ迅速に設置することができるので、作業者Ｓの安全を確保するための作業にかかる作業負担の軽減および作業時間の短縮を図ることができる。そして、足場からの作業者Ｓの墜落や転落を防止して、作業者Ｓの安全を確保することができる。
【００５２】
また、この発明にかかる実施の形態の幅木装置１００によれば、現場における組み立て作業を要することがないため、事故対応時などの緊急性を要する状況においても、設置幅の全域にわたって連続する遮蔽物を、迅速かつ確実に設置することができる。これにより、作業者Ｓの安全を確保するための作業にかかる作業負担の軽減および作業時間の短縮を図ることができる。
【００５３】
また、この発明にかかる実施の形態の幅木装置１００は、取付部材１２０が、一対の支持部材１１０に取り付けられて開放可能な環状部材と、当該環状部材が環を形成した状態で固定する固定部材と、を備えたことを特徴としている。
【００５４】
この発明にかかる実施の形態の幅木装置１００によれば、取付対象物に巻き付けることによって環を形成した状態の環状部材を、固定部材によって環を形成した状態で固定するだけの作業で、幅木装置１００を取付対象物に容易かつ迅速に設置することができる。これにより、取付対象物の形状やサイズ（外径寸法）に或る程度の幅があっても、取付対象物に対して、幅木装置１００を容易かつ迅速に取り付けて固定することができる。そして、これにより、作業者Ｓの安全を確保するための作業にかかる作業負担の軽減および作業時間の短縮を図ることができる。
【００５５】
また、この発明にかかる実施の形態の幅木装置１００は、固定部材が、環状部材を外側から内側に貫通するように螺合された蝶ネジ２０３であることを特徴としている。
【００５６】
この発明にかかる実施の形態の幅木装置１００によれば、蝶ネジ２０３によって固定部材を実現することにより、工具を用いることなく、防護手袋を着用したまま、取付対象物に対して、幅木装置１００を容易かつ迅速に取り付けて固定することができる。これにより、取付対象物に対して、幅木装置１００を容易かつ迅速に取り付けて固定することができる。そして、これにより、作業者Ｓの安全を確保するための作業にかかる作業負担の軽減および作業時間の短縮を図ることができる。
【００５７】
また、この発明にかかる実施の形態の幅木装置１００は、リンク部材１４０が、さらに、配列方向における両端に位置するガイド部材１３０と当該ガイド部材１３０に対向する支持部材１１０との間にそれぞれ設けられていることを特徴としている。
【００５８】
この発明にかかる実施の形態の幅木装置１００によれば、配列方向における両端に位置するガイド部材１３０と支持部材１１０とをリンク部材１４０を介して連結することにより、ガイド部材１３０と支持部材１１０との間の間隔も幅木装置１００の寸法調整に利用することができる。これにより、部品点数の増加による重量増加を抑えて、幅木装置１００の伸張時の寸法を長くすることができる。
【００５９】
また、この発明にかかる実施の形態の幅木装置１００は、複数のガイド部材１３０を覆い、当該複数のガイド部材１３０における各ガイド部材１３０どうしの間隔に応じて伸縮可能なカバー部材４０１を備えたことを特徴としている。
【００６０】
この発明にかかる実施の形態の幅木装置１００によれば、カバー部材４０１によって複数のガイド部材１３０を覆うことにより、一対の支持部材１１０の間において隙間なく連続した面状の遮蔽物を、迅速かつ確実に設置することができる。また、カバーが伸縮するため、一対の支持部材１１０の間隔の長さにかかわらず、一対の支持部材１１０の間において隙間なく連続した面状の遮蔽物を、迅速かつ確実に設置することができる。これにより、足場からの作業者Ｓの墜落や転落を確実に防止して、作業者Ｓの安全を確保することができる。
【産業上の利用可能性】
【００６１】
以上のように、この発明にかかる幅木装置は、作業者の安全を確保するための幅木装置に有用であり、特に、緊急性が高く事前に設置幅が想定できない場所に設置する幅木装置に適している。
【符号の説明】
【００６２】
１００  幅木装置
１１０  支持部材
１２０  取付部材
１３０  ガイド部材
１４０  リンク部材
２０１  ホルダー
２０２  蝶番
２０３  蝶ネジ
３０１  リンク（節）
３０２  ジョイント（関節）
４０１  カバー部材
５００  単管足場
【図１】
2019203275.tif 000003
【図２】
2019203275.tif 000004
【図３】
2019203275.tif 000005
【図４】
2019203275.tif 000006
【図５】
2019203275.tif 000007
【図６】
2019203275.tif 000008
【図７】
2019203275.tif 000009
【図８】
2019203275.tif 000010
【図９】
2019203275.tif 000011
【図１０】
2019203275.tif 000012